(57)【特許請求の範囲】
【請求項１】
情報受信機を内蔵した本体装置と、この本体装置の前面に取り付けられた前面パネルと、この前面パネルに配設された表示部と、前面に操作キーが配設されていると共に前記前面パネルの前方で起立する起立状態とその下部が前方へせり出した傾倒状態との間で回動可能となるように前記本体装置に取り付けられた可動ノーズとを備え、前記表示部は、前記可動ノーズによって覆われることなく常に情報表示可能な露出部分と、前記可動ノーズの回動に伴って選択的に露出する隠蔽部分とからなり、前記可動ノーズが起立状態にある時に前記隠蔽部分を該可動ノーズによって覆い、前記情報受信機が特定の外部情報を受信した時、前記可動ノーズを自動的に起立状態から傾斜状態に移動させて前記隠蔽部分を露出させると共に、この露出した部分の前記表示部に前記外部情報に対応する情報を表示するように構成したことを特徴とする車載用機器の前面パネル装置。
【発明の詳細な説明】
【０００１】
【発明の属する技術分野】
本発明は、カーオーディオ等の本体装置の前面に配設される車載用機器の前面パネル装置に関する。
【０００２】
【従来の技術】
一般的に、カセットテーププレーヤやＣＤプレーヤ等が内蔵されている車載用機器には、本体装置の前面に取り付けられた前面パネルに各種操作キーや表示部あるいはテープカセット等の媒体を挿入するための挿入口が配設されているが、近年の多機能化等に伴って表示部が大型化してくると、表示部を含めたこれら操作キーや挿入口等の全てを前面パネルの限られたスペース内に配設することが困難になる。
【０００３】
これに対して、実公平６−４６１２号公報に開示された前面パネル装置は、本体装置に取り付けられた前面パネル側に挿入口を配設すると共に、前面パネルに回動可能に取り付けられた可動ノーズ側に表示部と各種操作キーを配設し、可動ノーズの回動に伴って挿入口が開閉されるように構成されている。このような可動ノーズ式の前面パネル装置によれば、閉状態の可動ノーズの全面を表示領域とキー操作領域として活用することができ、媒体の挿入または排出時のみ可動ノーズを開放させて挿入口を露出させれば良いため、限られたスペースに比較的大型の表示部を配設することができる。
【０００４】
【発明が解決しようとする課題】
しかしながら、前述した従来の可動ノーズ式前面パネル装置では、可動ノーズに配設された表示部が常時同じ大きさであるため、例えば交通情報のように多くの情報量を表示する場合には好適であるが、時刻やチューナの周波数のように表示したい情報量が少ない場合、表示部が大き過ぎるとかえって表示が見にくくなり、表示すべき情報量によっては視認性が低下するという問題がある。また、回動する可動ノーズに表示部が配設されているため、挿入口を露出させるべく可動ノーズを傾斜させた際に、ユーザの目線に対して表示部が大きく傾いてしまい、この点からも表示部の視認性が低下するという問題がある。
【０００５】
【課題を解決するための手段】
本発明は、本体装置の前面に取り付けられた前面パネルに表示部を配設すると共に、この表示部の一部を前面に操作キーが配設された可動ノーズによって選択的に覆い、情報受信機が特定の外部情報を受信した時、この可動ノーズを自動的に起立状態から傾斜状態に移動させて表示部の隠蔽部分を露出させると共に、この露出した部分の表示部に外部情報に対応する情報を表示することとする。このような構成を採用すると、表示すべき情報量が少ない場合は起立状態にある可動ノーズによって表示部の一部を覆い、縮小された表示部に必要とされる情報を見やすく表示することができ、情報受信機が特定の外部情報を受信した時のように表示すべき情報量が多い時だけ、可動ノーズを起立状態から傾倒方向へ回動させて表示部の隠蔽部分を露出させ、拡張された表示部に多くの情報を表示することができる。
【０００６】
【発明の実施の形態】
本発明による車載用機器の前面パネル装置では、情報受信機を内蔵した本体装置と、この本体装置の前面に取り付けられた前面パネルと、この前面パネルに配設された表示部と、前面に操作キーが配設されていると共に前記前面パネルの前方で起立する起立状態とその下部が前方へせり出した傾倒状態との間で回動可能となるように前記本体装置に取り付けられた可動ノーズとを備え、前記表示部は、前記可動ノーズによって覆われることなく常に情報表示可能な露出部分と、前記可動ノーズの回動に伴って選択的に露出する隠蔽部分とからなり、前記可動ノーズが起立状態にある時に前記隠蔽部分を該可動ノーズによって覆い、前記情報受信機が特定の外部情報を受信した時、前記可動ノーズを自動的に起立状態から傾斜状態に移動させて前記隠蔽部分を露出させると共に、この露出した部分の前記表示部に前記外部情報に対応する情報を表示するように構成した。このように構成すると、前面パネルに配設された表示部の一部および可動ノーズの前面に配設された操作キーが常に本体装置の前面側に露出し、この可動ノーズを操作キーが操作可能の状態のまま起立状態と傾倒状態との間で回動させることにより、表示部の実質的な大きさを必要に応じて増減させることができ、しかも、表示部は常に可動ノーズによって覆われない露出部分を有するため、表示部の視認性が向上する。さらに、情報受信機が特定の外部情報を受信した時に、可動ノーズを起立状態から傾倒方向へ自動的に回動させて表示部の隠蔽部分を露出し、この露出した部分の表示部に外部情報に対応する情報を表示するようにしたので、拡張された表示部に多くの情報を表示することができる。
【０００９】
【実施例】
実施例について図面を参照して説明すると、図１は実施例に係る前面パネル装置の正面図、図２は該前面パネル装置の側面図、図３は表示部が拡張された状態を示す説明図である。
【００１０】
これらの図に示すように、カーオーディオ等の本体装置１に取り付けられた前面パネル２にＭＤやＣＤ等の媒体を装填するための挿入口３が設けられており、この挿入口３の近傍にイジェクト釦４とオープン釦５が配設されている。前面パネル２にはＬＣＤの表示部６と可動ノーズ７が配設されており、可動ノーズ７は本体装置１に回動可能に取り付けられている。可動ノーズ７は実公平６−４６１２号等に記載された公知の駆動機構（図示せず）を用いて回転駆動され、図２の実線で示すように可動ノーズ７が起立状態にある時、表示部６の下部は可動ノーズ７によって覆われているが、図２の２点鎖線で示すように可動ノーズ７が傾倒状態にある時、表示部６のほぼ全面が露出する。可動ノーズ７の表面に複数の操作キー８が配設されており、これら操作キー８は可動ノーズ７に内蔵された図示せぬプッシュスイッチやロータリボリューム等を動作させる。
【００１１】
このように構成された前面パネル装置では、通常の使用状況下において可動ノーズ７は起立状態にあり、図１に示すように、表示部６の下部は可動ノーズ７によって覆われている。ここで、可動ノーズ７によって覆われていない表示部６の上部領域６ａに表示する方法としてはセグメント表示が好ましく、ＭＤやラジオ等の各ソースが選択されていない場合は、例えば時刻や各操作キー８の機能を示す文字等が上部領域６ａに表示され、ソースとして例えばラジオが選択された場合はチューナの周波数が上部領域６ａに表示される。また、ＭＤやＣＤ等の媒体を挿入口３に装填することができ、イジェクト釦４を押圧操作することにより媒体を挿入口３から排出することができる。
【００１２】
一方、ユーザがオープン釦５を押圧操作すると、図示せぬ駆動機構によって可動ノーズ７が回動し、可動ノーズ７はその下部が手前にせり出した傾倒状態となる。その結果、図３に示すように、それまで可動ノーズ７によって覆われていた表示部６の下部領域６ｂが露出し、表示部６の表示領域は上部領域６ａと下部領域６ｂの両方まで拡張する。ここで、下部領域６ｂに表示する方法としてはドット表示が好ましく、例えば交通情報や各種一般情報等を必要に応じて下部領域６ｂに表示することができる。
【００１３】
このように上記実施例にあっては、表示すべき情報量が少ない場合は可動ノーズ７によって表示部６の下部領域６ｂを覆い、表示部６の上部領域６ａに必要とされる情報だけを見やすく表示することができ、表示すべき情報量が多い時だけ可動ノーズ７を回動させて表示部６の下部領域６ｂを露出させ、拡張された表示部６に多くの情報を表示することができる。したがって、表示部６の実質的な大きさをユーザが意図的に増減させることができ、表示部６の視認性が向上する。
【００１４】
次に、前記可動ノーズ７の開放動作をＦＭ多重放送を利用して自動的に行う実施例について図４〜図６を用いて説明する。ここで、図４はＦＭ多重放送受信機の構成図であり、図５はＦＭ多重データのフレーム構成を示す説明図、図６はデータブロックのフォーマットを示す説明図である。
【００１５】
ＦＭ多重放送受信機は、ＦＭ放送信号を受信し、該ＦＭ放送信号に多重されて送られてくる文字情報や交通情報等のＦＭ多重放送データを分離、復調してディスプレイ装置に表示するものである。ＦＭ多重放送データは、図５に示すように、１フレーム当たり２７２ブロックからなり、２７２ブロックのうち１９０ブロックがデータブロック、８２ブロックがパリティのみを伝送するパリティブロックで、パリティブロックはデータブロック内に分散して配置されている。各データブロックは、１６ビットのブロック識別符号ＢＩＣ（Block Identify Code）と、１７６ビットのデータと、１４ビットのＣＲＣ符号と、８２ビットの誤り検出訂正用のパリティ（横符号）で構成されている。また、パリティブロックは、１６ビットのブロック識別符号ＢＩＣと、１９０ビットのパリティ（縦符号）と、８２ビットの誤り検出訂正用のパリティ（横符号）とで構成されている。
【００１６】
最初の１３ブロックのうちデータブロックの識別符号はＢＩＣ１であり、次の１２３ブロックのうちデータブロックの識別符号はＢＩＣ３であり、次の１３ブロックのうちデータブロックの識別符号はＢＩＣ２であり、最後の１２３ブロックのうちデータブロックの識別符号はＢＩＣ３であり、パリティブロックの識別符号はＢＩＣ４である。ブロック識別符号を１ブロック毎に検出することによりブロック同期をとることができ、また、２７２ブロック毎に（ブロック識別符号ＢＩＣ４の次にＢＩＣ１を検出することにより）フレーム同期をとることができる。換言すれば、前記順序でブロック識別符号を検出できない回数が所定の割合で生じた時はブロック同期はずれであり、所定の割合でフレーム同期がとれない場合がフレーム同期はずれである。また、データブロックにはＣＲＣ符号が含まれているから１ブロック毎にＣＲＣチェックを行うことができる。さらに、誤り検出訂正用のパリティ（縦符号、横符号）が含まれていることから、これらパリティを用いて誤り検出、および誤り訂正処理を行うことができる。
【００１７】
図４において、１０はアンテナ、１１はフロントエンド（Ｆ／Ｅ）であり、図示せぬがアンテナ同調回路や高周波増幅回路、局部発振器、混合器等を有している。１２はＰＬＬ回路、１３はローパスフィルタ、１４は中間周波増幅／ＦＭ検波器（ＩＦ／ＤＥＴ）である。ＰＬＬ回路１２、ローパスフィルタ１３およびフロントエンド１１内蔵の局部発振器は電子選局装置を構成し、局部発振器を受信周波数に応じた周波数で発振させ、フロントエンド１１内の混合器により中間周波数信号を出力するようになっている。
【００１８】
１５はノイズキャンセルとステレオ復調を行うノイズキャンセラ／ステレオ復調回路（ＮＣ／ＭＰＸ）である。１６はＦＭ検波信号からＬ−ＭＳＫ変調信号成分を取り出すフィルタ回路、１７はＬ−ＭＳＫ変調信号に遅延検波を施し、ビットクロックの再生とビットデータ列の復調を行うＬ−ＭＳＫ復調回路、１８はブロック同期とフレーム同期の検出を行う同期回路、１９は誤り検出訂正部であり、ＣＲＣチェック部１９ａと誤り検出回路１９ｂを備えている。ＣＲＣチェック部１９ａは１ブロック毎のＣＲＣチェックを行い、誤り検出回路１９ｂは同期回路から入力したブロック同期とフレーム同期の検出信号に基づいてビットデータ列にＰＮ復号を施した後、所定のフォーマットに区切りながらＲＡＭ２０に一時記憶させると共に、パリティ符号を用いてシンドロームデータを生成し、シンドロームに対する多数決判定により誤り訂正を行う。
【００１９】
２１はプロセッサＣＰＵであり、選局操作に従った選局制御や、文字情報の表示制御、可動ノーズ７の駆動制御等を行う。２１ａはワーク用のＲＡＭで、受信済みフラグ等を備えた管理情報ＣＤＴ２２、その他のデータを記憶する。２３は受信したＦＭ多重データ（文字放送番組情報等）を記憶するメモリ、２４はユーザが選局操作を行ったり、所望の文字放送番組の選択等を操作部であり、この操作部２４は可動ノーズ７に設けられている。操作部２４は番組選択や数字入力あるいはページ送り／戻し等を行うための各種操作キー２４ａを備えており、前述した操作キー８の一部は操作キー２４ａを構成している。なお、上記ＦＭ多重放送受信機は本体装置１に内蔵されていても良いし、本体装置１とは別体に接続されていても良い。
【００２０】
図６は１７６ビットのデータブロック（図５の１９０ビットのデータブロックからＣＲＣブロックを除いたもの）のフォーマット説明図であり、３２ビットのプリフィックス５１と１４４ビットのデータブロック本体５２で構成されている。プリフィックス５１は、
▲１▼番組内容の識別と伝送モードを示すと共にデータパケット構成を指定するサービス識別部５１ａと、
▲２▼誤り検出回路１９ｂの復号方法を指定する復号識別フラグ（”１”は横方向のみ復号、”１”横縦横復号）５１ｂと、
▲３▼あるデータグループ番号で伝送するデータグループ（例えば１ページ分の文字情報）の終了を示す情報終了フラグ（”１”は終了）５１ｃと、
▲４▼あるデータグループ番号で伝送するデータグループが更新されていることを示す更新フラグ５１ｄと、
▲５▼番組番号とページ番号とでデータグループ番号を指定するデータグループ番号部５１ｅと、
▲６▼データパケット番号部５１ｆとで構成されている。
【００２１】
このように構成されたＦＭ多重放送受信機において、例えば図６に示すサービス識別符号Ｓｉ＝４を受信すると、プロセッサＣＰＵ２１は、可動ノーズ７の駆動機構に対して駆動信号を出力すると共に、表示部６に対して文字情報の表示制御信号を出力する。これにより可動ノーズ７が自動的に回動操作されるため、前述したように可動ノーズ７の下部が手前にせり出して表示部６の下部領域６ｂが露出し、この下部領域６ｂにサービス識別符号Ｓｉ＝４に対応する文字情報（交通情報レベル１）が表示される。このように、ユーザが任意のサービス識別符号Ｓｉを予めプリセットしておき、その情報を受信した時に自動的に可動ノーズ７が回動して文字情報が表示されるようにすることで、使い勝手が大幅に向上する。
【００２２】
なお、上記各実施例では、可動ノーズ７の開放動作をユーザがオープン釦５を用いて意図的に行う場合と、ＦＭ多重放送を利用して自動的に行う場合について説明したが、両者を併用することも可能である。
【００２３】
【発明の効果】
本発明は、以上説明したような形態で実施され、以下に記載されるような効果を奏する。
【００２４】
本体装置の前面に取り付けられた前面パネルに表示部を配設すると共に、この表示部の一部を前面に操作キーが配設された可動ノーズによって選択的に覆い、情報受信機が特定の外部情報を受信した時、この可動ノーズを自動的に起立状態から傾斜状態に移動させて表示部の隠蔽部分を露出させると共に、この露出した部分の表示部に外部情報に対応する情報を表示するように構成すると、前面パネルに配設された表示部の一部および可動ノーズの前面に配設された操作キーが常に本体装置の前面側に露出しているため、この可動ノーズを操作キーが操作可能の状態のまま起立状態と傾倒状態との間で回動させることにより、表示部の実質的な大きさを必要に応じて増減させることができる。したがって、表示すべき情報量が少ない場合は可動ノーズを起立状態にすることによって表示部の一部を覆い、情報受信機が特定の外部情報を受信した時のように表示すべき情報量が多い時だけ、可動ノーズを傾倒状態へ自動的に回動して表示部の隠蔽部分を露出させ、この露出した部分の表示部に外部情報に対応する情報を表示すれば良いため、表示部の視認性を高めると共に使い勝手の優れた車載用機器の前面パネル装置を実現できる。
【図面の簡単な説明】
【図１】実施例に係る前面パネル装置の正面図である。
【図２】該前面パネル装置の側面図である。
【図３】表示部が拡張された状態を示す説明図である。
【図４】ＦＭ多重放送受信機の構成図である。
【図５】ＦＭ多重データのフレーム構成を示す説明図である。
【図６】データブロックのフォーマットを示す説明図である。
【符号の説明】
１  本体装置
２  前面パネル
３  挿入口
５  オープン釦
６  表示部
６ａ  上部領域
６ｂ  下部領域
７  可動ノーズ
８  操作キー
【図１】
0003681520.tif 000002
【図２】
0003681520.tif 000003
【図３】
0003681520.tif 000004
【図４】
0003681520.tif 000005
【図５】
0003681520.tif 000006
【図６】
0003681520.tif 000007